(57)【要約】【課題】簡単な操作でシールド部材を着脱でき、かつ、シールド部材を開閉してもシールド部材が離脱しないヘルメットのシールド取付構造を提供すること。【解決手段】シールド部材の左右両端部4aの切欠部4bを備えた軸孔4cに、ヘルメット本体の左右両外側面に設けた支持軸5aを嵌合させ，所定角度回動可能にシールド部材を取り付けたヘルメットのシールド取付構造であって、支持軸5aに対して略直交する方向に切欠部4bを挿通可能にし、シールド部材4を斜め上方に傾斜させた状態で後方に移動させて、支持軸5aを切欠部4bから挿通させて軸孔4cに嵌合させ、係合させて反挿通方向に抜け止めすると共に、支持軸の鍔部５ｌで支持軸軸方向に抜け止めし、斜め上方に傾斜させたシールド部材の端部を、支持軸の下方にてシールド部材の弾力に抗して押し込むことにより、シールド切欠部4bの支持軸の外周面との係合が外れるようにしたヘルメットのシールド取付構造。【選択図】図  ４【特許請求の範囲】
【請求項１】
シールド部材の左右両端部のシールド切欠部を備えた軸孔に、ヘルメット本体の左右両外側面に設けた支持軸を嵌合させて当該支持軸まわりに所定角度だけ回動可能にシールド部材の左右両端部を装着してなるヘルメットのシールド取付構造であって、
上記支持軸に対して略直交する方向に上記シールド切欠部４ｂを挿通可能にし、
上記シールド部材を斜め上方に傾斜させた状態で後方に移動させるこよにより、上記支持軸を上記シールド切欠部から挿通させて上記軸孔に嵌合させ、シールド切欠部４ｂを支持軸の外周面に係合させて反挿通方向に抜け止めするとともに、支持軸の鍔部で支持軸軸方向に抜け止めし、
斜め上方に傾斜させた状態の上記シールド部材の端部を、上記支持軸の下方において当該シールド部材の弾力に抗して押し込むことによって、シールド切欠部４ｂの支持軸の外周面との係合が外れるようにしたヘルメットのシールド取付構造。
【発明の詳細な説明】
【技術分野】
【０００１】
この発明は、前面開口部を開閉するシールド部材を備えるヘルメットのシールド取付構造に関するものであり、シールド部材をヘルメット本体に対して上下方向に回動自在に取り付ける取付構造について、シールド部材を斜め上方に傾斜させた状態で支持軸に対して差し込むことで簡単に取り付けることができ、また、ワンタッチ操作で簡単に取り外すことができるものである。
【背景技術】
【０００２】
従来、ヘルメット本体の前面に開口部が設けられ、この開口部を開閉する透明のシールド部材を備えるヘルメットがある。例えば、実公昭６３−４８６６５号公報に開示されるように、シールド部材１３の左右両端部を、ヘルメット本体１１の左右両外側面に設けた保持部材１４まわりに所定角度だけ回動可能に装着したものがある。
このものは、シールド部材１３の左右両側端の嵌合孔１６に保持部材１４のボス９を嵌め、保持部材１４の係止部１０を、上記シールド部材１３の左右両側端の嵌合案内孔１７ａに挿入して、さらに回動角度規制孔１７の方に移動させて抜け止めし、この状態で止めねじ１５によって保持部材１４をヘルメット本体１１に固定するものである。これによって、シールド部材１３の左右両側端が保持部材１４を介してヘルメット本体１１に回動自在に取付けられ、止めねじ１５を外し、保持部材１４をヘルメット本体１１から外すことによって、ヘルメット本体から取り外される。
そして、上記従来のものは、その保持部材１４の係止突起１９がシールド部材１３の左右両側端に設けた多数の係止孔１８に選択的に係合することで、シールド部材１３が適宜の回動位置に保持されるようにしている。
【特許文献１】実公昭６３−４８６６５号公報
【発明の開示】
【発明が解決しようとする課題】
【０００３】
ところで、このようにシールド部材１３を保持部材１４まわりに所定角度だけ回動可能に装着するものでは、保持部材のボス９をシールド部材の嵌合孔１６に嵌合させてシールド部材１３を上記保持部材１４に回動可能にし、保持部材１４の係止部１０をシールド部材の回動角度規制孔１７によって抜け止めしているが、シールド部材１３を開いた時に嵌合案内孔１７ａに係止部１０が合致することがあると、そのときに係止部１０が嵌合案内孔１７ａから抜け出し、シールド部材１３が保持部材１４から不用意に離脱するおそれがある。
また、シールド部材１３のヘルメット本体１１への取付け、取り外しは、上記のようにしてなされるので、保持部材１４のシールド部材１３の左右両側端への組み付け作業、止めねじ１５による保持部材１４のヘルメット本体１１への固定作業が必要であるので、面倒で手数を要する。また取り外す場合も同様である。  
【０００４】
この発明は、かかる点に鑑みてなされたもので、簡単な操作でシールド部材をヘルメット本体に取付け、取り外すことができ、かつ、シールド部材を開閉してもシールド部材が不用意に離脱することのないヘルメットのシールド取付構造を提供することを目的としている。
【課題を解決するための手段】
【０００５】
前記課題を解決し、かつ目的を達成するために、請求項１の発明は、シールド部材の左右両端部のシールド切欠部（以下「切欠部」ともいう）を備えた軸孔に、ヘルメット本体の左右両外側面に設けた支持軸を嵌合させて当該支持軸まわりに所定角度だけ回動可能にシールド部材の左右両端部を装着してなるヘルメットのシールド取付構造であって、これを前提として、次の（イ）〜（ハ）によるものである。
（イ）上記支持軸に対して略直交する方向に上記切欠部４ｂを挿通可能にしたこと、
（ロ）上記シールド部材を斜め上方に傾斜させた状態で後方に移動させるこよにより、上記支持軸を上記切欠部から挿通させて上記軸孔に嵌合させ、上記切欠部４ｂを支持軸の外周面に係合させて反挿通方向に抜け止めするとともに、支持軸の鍔部で支持軸軸方向に抜け止めしていること、
（ハ）斜め上方に傾斜させた状態の上記シールド部材の端部を、上記支持軸の下方において当該シールド部材の弾力に抗して押し込むことによって、シールド切欠部４ｂの支持軸の外周面との係合が外れるようにしていること。
【発明の効果】
【０００６】
本発明のヘルメットのシールド取付構造では、シールド部材を支持軸に対して略直交する方向から簡単に着脱できる。
支持軸に装着されたシールド部材は、シールド切欠部４ｂを支持軸の外周面に係合させて反挿通方向に抜け止めするとともに、支持軸の鍔部で支持軸軸方向に抜け止めして、支持軸に保持されているため、シールド部材を開閉してもシールド部材が支持軸から外れない。
そして、シールド部材の端部を上記支持軸の下方においてシールド部材の弾力に抗して押し込むことによって、シールド部材の左右両端部は支持軸から外れるので、簡単容易に取り外すことができる。
【発明を実施するための最良の形態】
【０００７】
以下、この発明のヘルメットのシールド取付構造を図面に基づいて説明する。  図１はヘルメットの側面図、図２はシールド部材を閉じた状態の側面図、図３はシールド部材を開いた状態の側面図、図４はシールド部材の装着状態を示す側面図、図５は支持軸体の側面図、図６はシールド部材の側面図、図７はカバー体の側面図、図８はシールド部材及びカバー体を取り外した状態の側面図、図９は図８のIX−IXに沿うシールド部材及びカバー体を装着した状態の断面図、図１０は図８のＸ−Ｘ線に沿うシールド部材及びカバー体を装着した状態の断面図、図１１は図８のXI−XI線に沿うシールド部材及びカバー体を装着した状態の断面図である。
【０００８】
自動二輪車等に乗車する時に用いるヘルメット１は、左側部分と右側部分が同様に構成されるから左側部分について説明し、右側部分については説明を省略する。ヘルメット１はヘルメット本体２を有し、ヘルメット本体２の前面に、装着者の顔に対応する開口３を有し、この開口３を開閉する透明樹脂製のシールド部材４が設けられている。シールド部材４は、弾性変形可能な材料からなる。シールド部材４の左右両端部４ａは、ヘルメット本体２の左右両外側面に設けた支持軸体５の支持軸５ａまわりに所定角度だけ回動可能に装着され、支持軸体５はカバー体６で覆われている。支持軸体５及びカバー体６もシールド部材４と同様に樹脂で形成されている。
【０００９】
支持軸体５は支持軸５ａと取付軸部５ｂとを有し、この支持軸５ａと取付軸部５ｂの軸芯に設けたねじ孔５ｃ，５ｄにねじ７，８を挿通して、支持軸体５がヘルメット本体２にねじ７，８で固定される。支持軸体５の支持軸５ａのねじ孔５ｃの外周には、支持軸５ａ軸芯を中心とした複数の円弧孔５ｅを設けている。また、支持軸体５は取付軸部５ｂの近傍に支持部５ｆを有し、この支持部５ｆには係合孔５ｇが形成されている。
【００１０】
支持軸体５の表面を覆うカバー体６の裏側には、対向する一対の突子６ａと、突子６ｂとが設けられている。カバー体６の突子６ａを支持軸体５の円弧孔５ｅに挿入し、また突子６ｂを支持軸体５の係合孔５ｇに挿入すると、突子６ｂが支持部５ｆに連続して形成されたガイド斜面５ｍに当接して位置する。この状態からカバー体６を一定角度回転すると、突子６ｂがガイド斜面５ｍ上を係合孔５ｇ方向にスライドしていき係合孔５ｇの位置で落ち込み、突子６ｂの爪部６ｂ１が係合孔５ｇに係合し、これと同時に突子６ａがスライドして爪部６ａ１が円弧孔５ｅに係合し、カバー体６が支持軸体５に簡単かっ確実に取り付けられる。このように、支持軸体５の支持部５ｆに形成されたガイド斜面５ｍによって、カバー体６の突子６ｂが引っかかることなく円滑に係合孔５ｇに収まるようになっている。
【００１１】
また、カバー体６には、一部を残して切欠き押え部６ｃが形成され、この押え部６ｃの裏側には突起６ｄが形成され、押え部６ｃを指で押えることで突起６ｄがシールド部材４の端部４ａを押し、シールド部材４を支持軸体５から取外可能になっている。カバー体６の押え部６ｃは、薄肉として、容易に弾性変形できるようにしてもよい。
【００１２】
支持軸体５の円弧孔５ｅの外周には、軸受部５ｈが設けられ、さらに支持軸５ａには、軸切欠部５ｉが、円弧孔５ｅを設けていない部位に設けられている。即ち、支持軸体５には、支持軸５ａに対して略直交する方向に、シールド部材４の左右両端部４ａに設けたシールド切欠部（切欠部）４ｂが挿通可能な軸切欠部５ｉを、支持軸５ａの軸方向の一部に設けている。
【００１３】
即ち、シールド部材４には、支持軸５ａに嵌合してシールド部材４を回動するための上記切欠部４ｂを備えた軸孔４ｃを設けている。
【００１４】
支持軸体５には、支持軸５ａの軸切欠部５ｉに挿通したシールド部材４を、軸切欠部５ｉ以外の支持軸５ａの部位に移動させるべく押圧するための押圧手段Ａが設けられている。押圧手段Ａは、ヘルメット本体外側面側に設けられ、この押圧手段Ａは、支持軸５ａから一定距離だけ離間した位置に設けた突起５ｊ，５ｋからなっている。さらに、支持軸体５には、押圧手段Ａの突起５ｊ，５ｋによって押圧されたシールド部材４を押圧に対抗して支持軸５ａの軸方向保持するための保持手段Ｂが設けられている。保持手段Ｂは、支持軸５ａの外側端部に設けた鍔部５１からなっている。
【００１５】
シールド部材４を斜め上方に傾斜させた状態で、図４に示すようにシールド部材４を矢印方向（斜め後方）に押し込むと、支持軸体５の支持軸５ａがシールド切欠部４ｂを通過して、軸孔４ｃに嵌まり込み、シールド部材のシールド切欠部４ｂが支持軸５ａの外周面に引っ掛かって係合する。したがって、シールド部材の左右両端部４ａを略直交する方向から支持軸５ａに簡単に装着でき、簡単な構造の押圧手段Ａと保持手段Ｂとでシールド部材４を支持軸体５に保持することができる。即ち、シールド部材４は弾性変形可能な材料から形成されており、シールド部材４を押し込むと、その端部４ａが突起５ｊ，５ｋによって押圧され、シールド部材４の軸孔４ｃは、図１０（ａ）の支持軸５ａの軸切欠部５ｉに係合した位置から、図１０（ｂ）の軸受部５ｈの位置に移動し、支持軸５ａの外側端部に設けた鍔部５１によって保持され、シールド部材４が開閉可能になる。
【００１６】
シールド部材４を回動するとき、所定角度位置で保持されるような係止機構を成立させるためのバネ手段Ｃが樹脂材料からなる支持軸体５に一体形成されている。バネ手段Ｃは、支持軸体５の支持部５ｆに近接して一体に設けられたバネ部５ｎから構成されている。バネ部５ｎはボス部５ｎ１に切欠き溝５ｎ２を設けて形成され、先端部にはシールド部材４の端部４ａの抜けを防止する係上部５ｎ３を有している。バネ部５ｎはシールド部材４の端部４ａの外周部に当接されてシールド部材４が円滑に開閉できるようにしており、その際、バネ部５ｎの定数をあまり大きくしないで最適値とする。
【００１７】
また、支持軸体５には、シールド部材４の全開時のストッパをバネ手段Ｃに設け、ストッパ当接面積を十分確保するために、バネ部５ｎをシールド部材４の先端部の外周部の形状に合わせて設けている。ヘルメット１の装着者が無理に大きな力でシールド部材４を全開しないように、シールド部材４の一先端部４ｄが最初に支持輔５ａ近傍に設けた突部５ｏに当接して作動し、その後、バネ部５ｎのストッパに他端部４ｅが当接してストッパ作動するようにしている。即ち、シールド部材４は最初の凸部５ｏのストッパで、もう全開であることを装着者に知らせ、大きな力を加えないように注意を喚起するようにしている。
【００１８】
また、支持軸５ａに装着されたシールド部材４は、押圧手段Ａと保持手段Ｂとによる簡単な構造で押圧に対抗して支持軸５ａに保持されているため、シールド部材４を開閉してもシールド部材４が支持軸５ａから外れない。さらに、カバー体６を設ける場合、カバー体６を装着した状態でも、シールド部材４の脱着を可能とする構造が容易にでき、また、万が一、カバー体６が走行中に外れても、シールド部材４は外れないので、支障なくヘルメット１を使用できる。
【００１９】
シールド部材４を取り外す場合には、シールド部材４を図４に示す装着する位置まで開いてカバー体６の押え部６ｃを指で押えると、押え部６ｃの裏側の突起６ｄがシールド部材４の端部４ａを押すため、図１０（ｂ）に二点鎖線で示すように軸受部５ｈから外れて軸切欠部５ｉの位置に移動する。従って、シールド部材４を引き抜くと、軸孔４ｃの切欠部４ｂが軸切欠部５ｉの位置を通って外れ、カバー体６を支持軸体５に取り付けた状態でシールド部材４を容易に着脱することができる。
【００２０】
また、支持軸体５の表面を覆うカバー体６を支持軸体５から外した状態で、シールド部材４を開閉させても、シールド部材４が支持軸体５から外れないので、カバー体６を支持軸体５から外して、シールド部材４を開閉させながら、ねじ７，８を弛めたり、締めたりしてヘルメット本体２に対する支持軸体５の位置を調整することができる。さらに、ヘルメット本体２に、支持軸体５、シールド部材４及びカバー体６を取り付ける構造に無駄がなく、コンパクトにできる。
【００２１】
図１２はシールド部材の装着状態を示す他の実施の形態の断面図である。この実施の形態では、押圧手段Ａが板バネ６０で構成されている。この板バネ６０は、支持軸体５の支持軸５ａにカシメ等で取り付けて一体化され、外側から容易に取り付けることができる。
【図面の簡単な説明】
【００２２】
【図１】はヘルメットの側面図である。
【図２】はシールド部材を閉じた状態の側面図である。
【図３】はシールド部材を開いた状態の側面図である。
【図４】はシールド部材の装着状態を示す側面図である。
【図５】は支持軸体の側面図である。
【図６】はシールド部材の側面図である。
【図７】はカバー体の側面図である。
【図８】はシールド部材及びカバー体を取り外した状態の側面図である。
【図９】は図８のIX−IX線に沿うシールド部材及びカバー体を装着した状態の断面図である。
【図１０】は図８のＸ−Ｘ線に沿うシールド部材及びカバー体を装着した状態の断面図である。
【図１１】は図８のXI−XI線に沿うシールド部材及びカバー体を装着した状態の断面図である。
【図１２】はシールド部材の装着状態を示す他の実施の形態の断面図である。
【図１３】は従来技術の要部斜視図である。
【図１４】は従来技術の要部断面図である。
【符号の説明】
【００２３】
１・・・ヘルメット
２・・・ヘルメット本体
４・・・シールド部材
４ａ・・・シールド部材４の左右両端部
４ｂ・・・シールド切欠部
４ｃ・・・軸孔
５・・・支持軸体
５ａ・・・支持軸
５ｉ・・・軸切欠部
Ａ・・・押圧手段
Ｂ・・・保持手段
【図１】
2004197298.tif 000002
【図２】
2004197298.tif 000003
【図３】
2004197298.tif 000004
【図４】
2004197298.tif 000005
【図５】
2004197298.tif 000006
【図６】
2004197298.tif 000007
【図７】
2004197298.tif 000008
【図８】
2004197298.tif 000009
【図９】
2004197298.tif 000010
【図１０】
2004197298.tif 000011
【図１１】
2004197298.tif 000012
【図１２】
2004197298.tif 000013
【図１３】
2004197298.tif 000014
【図１４】
2004197298.tif 000015